(57)【要約】 【課題】印刷ジョブで指定された布帛以外の布帛への印刷を確実に防止しうる画像形成技術を提供する。【解決手段】画像形成装置３０は、クライアント端末１０から送信された印刷ジョブの実行前に、印刷ジョブ情報で指定された指定布帛情報と、現在プリンタ装置５０に装着されている布帛に関する装着布帛情報とを比較する。画像形成装置３０は、比較の結果、前記指定布帛情報と前記装着布帛情報とが一致する場合に、印刷ジョブを実行する。【選択図】図１
2010058426.tif 000002
【特許請求の範囲】
【請求項１】
通信手段を介してクライアント端末と通信可能に接続され、前記クライアント端末から送信される印刷ジョブ情報に基づいて布帛に印刷を行う印刷手段を備えた画像形成装置であって、
当該画像形成装置に現在装着されている布帛に関する装着布帛情報を出力する管理手段と、
前記印刷ジョブ情報に基づく印刷ジョブの実行前に、前記印刷ジョブ情報で指定された指定布帛情報と前記装着布帛情報とを比較し、比較の結果、前記指定布帛情報と前記装着布帛情報とが一致する場合に、前記印刷手段に前記印刷ジョブを実行させる制御手段と、
を備える画像形成装置。
【請求項２】
前記制御手段は、前記印刷ジョブの進捗状態を管理する、
請求項１に記載の画像形成装置。
【請求項３】
前記制御手段は、比較の結果、前記指定布帛情報と前記装着布帛情報とが異なる場合、前記印刷ジョブの進捗状態を印刷待ち状態にして前記印刷ジョブを保留する、
請求項２に記載の画像形成装置。
【請求項４】
前記制御手段は、比較の結果、前記指定布帛情報と前記装着布帛情報とが異なる場合、前記印刷ジョブの進捗状態をエラー状態にし、前記印刷手段に前記印刷ジョブを実行させない、
請求項２に記載の画像形成装置。
【請求項５】
前記制御手段は、比較の結果、前記指定布帛情報と前記装着布帛情報とが異なる場合、前記印刷ジョブ情報を削除し、前記印刷手段に前記印刷ジョブを実行させない、
請求項２に記載の画像形成装置。
【請求項６】
印刷ジョブに関する指示命令を受け付ける指示手段を更に備える、
請求項１〜５の何れか一項に記載の画像形成装置。
【請求項７】
前記制御手段は、前記指示命令に基づいて前記印刷手段に前記印刷ジョブの実行を開始させる、
請求項６に記載の画像形成装置。
【請求項８】
前記制御手段は、前記指示命令に基づいて、前記印刷手段による前記印刷ジョブが正常終了した場合に前記印刷ジョブ情報を削除又は保持する、
請求項６又は７に記載の画像形成装置。
【請求項９】
前記制御手段は、前記指示命令に基づいて、前記印刷ジョブ情報の複製、削除、削除禁止設定又は削除禁止設定解除を行う、
請求項６〜８の何れか一項に記載の画像形成装置。
【請求項１０】
前記制御手段は、前記指示命令に基づいて、前記印刷手段に前記印刷ジョブの実行を中断させる、
請求項６〜９の何れか一項に記載の画像形成装置。
【請求項１１】
前記制御手段は、複数の印刷ジョブを管理し、前記指示命令に基づいて、印刷ジョブ数の上限を設定する、
請求項６〜１０の何れか一項に記載の画像形成装置。
【請求項１２】
前記装着布帛情報は、前記印刷手段の制御に関する情報を含む、
請求項１〜１１の何れか一項に記載の画像形成装置。
【請求項１３】
前記装着布帛情報は、少なくとも布帛名称情報、ヘッド―布間距離情報、主走査ギャップ情報、往復調整情報、送り量調整情報、印刷完了時処理情報の何れかを含む、
請求項１２に記載の画像形成装置。
【請求項１４】
通信手段を介してクライアント端末と通信可能に接続され、前記クライアント端末から送信される印刷ジョブ情報に基づいて布帛に印刷を行う印刷手段を備えたコンピュータを、
当該画像形成装置に現在装着されている布帛に関する装着布帛情報を出力する管理手段、
前記印刷ジョブ情報に基づく印刷ジョブの実行前に、前記印刷ジョブ情報で指定された指定布帛情報と前記装着布帛情報とを比較し、比較の結果、前記指定布帛情報と前記装着布帛情報とが一致する場合に、前記印刷手段に前記印刷ジョブを実行させる制御手段と、
として機能させるためのプログラム。
【請求項１５】
前記装着布帛情報は、前記印刷手段の制御に関する情報を含む、
請求項１４の記載のプログラム。
【請求項１６】
クライアント端末と画像形成装置とが通信手段を介して通信可能に接続された画像形成システムであって、
前記クライアント端末は、
布帛の種類を指定する指定布帛情報を含む印刷ジョブ情報を生成し、当該印刷ジョブ情報を前記画像形成装置に送信する生成手段、
を備え、
前記画像形成装置は、
前記クライアント端末から送信される印刷ジョブ情報に基づいて布帛に印刷を行う印刷手段と、
当該画像形成装置に現在装着されている布帛に関する装着布帛情報を出力する管理手段と、
前記印刷ジョブ情報に基づく印刷ジョブの実行前に、前記印刷ジョブ情報に含まれる指定布帛情報と前記装着布帛情報とを比較し、比較の結果、前記指定布帛情報と前記装着布帛情報とが一致する場合に、前記印刷手段に前記印刷ジョブを実行させる制御手段と、
を備える画像形成システム。
【請求項１７】
前記装着布帛情報は、前記印刷手段の制御に関する情報を含む、
請求項１６に記載の画像形成システム。
【発明の詳細な説明】
【技術分野】
【０００１】
本発明は、画像形成装置、プログラム及び画像形成システムに関する。
【背景技術】
【０００２】
近年、布、織物等の繊維製品（以下、布帛という）に色相・柄の画像を形成するインクジェット式画像形成システムを用いた捺染システムが知られている。
【０００３】
画像形成システムは、クライアント端末と画像形成装置とから構成される。一般に、クライアント端末を操作する操作者（デザイナー）と、画像形成装置を操作する操作者（オペレータ）とは別人である場合が多い。業務フローの例を概説すると、次の通りである。
【０００４】
デザイナーはクライアント端末を用いて印刷対象となる布帛を指定し、当該布帛に印刷する画像データ等の生成を行い、指定布帛情報や画像データ等を含む印刷ジョブ情報を生成する。生成された印刷ジョブ情報は、画像形成装置に送信される。
【０００５】
オペレータは、受信した印刷ジョブ情報に対応する布帛を巻いたロールを画像形成装置にセット（装着）し、必要な設定を行った後、印刷開始装置を行う。この操作により画像形成装置は与えられた印刷ジョブを実行する。
【０００６】
布帛に画像を形成するインクジェット式画像形成装置として、以下の技術が開示されている。即ち、画像記録装置（画像形成装置）は、布帛の種類に応じて、記録ヘッドの記録条件を切換え、画像を形成する布帛に対して最も適した条件で記録ヘッドによる画像形成を行う（特許文献１参照）。
【特許文献１】特開平５−３０１３３９号公報
【発明の開示】
【発明が解決しようとする課題】
【０００７】
従来、布帛への印刷業務を行う工場等において、オペレータが、印刷ジョブ情報で指定された布帛と異なる布帛を画像形成装置に誤ってセットしたり、現にセットされている布帛を確認せずに印刷を実行してしまう場合があった。製品としての発色状態は、印刷済みの布帛に対して乾燥処理や洗浄処理等を行った後でなければ分からないため、布帛のセットミスが判明するまでに時間を要し、布帛が無駄になることがあった。
【０００８】
また、最近では、布帛セット後の印刷処理が自動化されている画像形成装置も多い。そのため、画像形成装置は前の印刷ジョブと次の印刷ジョブにおいて布帛の種類が異なるにも拘らず、布帛がセットされていることで次の印刷ジョブを自動的に開始してしまう場合があった。このような場合も、上記同様に布帛が無駄になることがあった。
【０００９】
また、インクジェットジェット方式の場合、プリンタヘッドの高さ位置を布帛の厚さに応じて調節する必要があるが、印刷ジョブ情報により指定された布帛と異なる布帛に画像を印刷すると、布帛とプリンタヘッドとが接触し、プリンタヘッドの損傷を招来する恐れがある。
【００１０】
布帛セット後の印刷処理が自動化されている画像形成装置でのこれらの問題は、自動化によりオペレータの確認作業が抜けているために発生していた。
【００１１】
本発明の目的は、印刷ジョブで指定された布帛以外の布帛への印刷を確実に防止しうる画像形成技術を提供することにある。
【課題を解決するための手段】
【００１２】
上記の課題を解決するために、請求項１に記載の発明は、
通信手段を介してクライアント端末と通信可能に接続され、前記クライアント端末から送信される印刷ジョブ情報に基づいて布帛に印刷を行う印刷手段を備えた画像形成装置であって、
当該画像形成装置に現在装着されている布帛に関する装着布帛情報を出力する管理手段と、
前記印刷ジョブ情報に基づく印刷ジョブの実行前に、前記印刷ジョブ情報で指定された指定布帛情報と前記装着布帛情報とを比較し、比較の結果、前記指定布帛情報と前記装着布帛情報とが一致する場合に、前記印刷手段に前記印刷ジョブを実行させる制御手段と、
を備える。
【００１３】
請求項２に記載の発明は、請求項１に記載の発明において、
前記制御手段は、前記印刷ジョブの進捗状態を管理する。
【００１４】
請求項３に記載の発明は、請求項２に記載の発明において、
前記制御手段は、比較の結果、前記指定布帛情報と前記装着布帛情報とが異なる場合、前記印刷ジョブの進捗状態を印刷待ち状態にして前記印刷ジョブを保留する。
【００１５】
請求項４に記載の発明は、請求項２に記載の発明において、
前記制御手段は、比較の結果、前記指定布帛情報と前記装着布帛情報とが異なる場合、前記印刷ジョブの進捗状態をエラー状態にし、前記印刷手段に前記印刷ジョブを実行させない。
【００１６】
請求項５に記載の発明は、請求項２に記載の発明において、
前記制御手段は、比較の結果、前記指定布帛情報と前記装着布帛情報とが異なる場合、前記印刷ジョブ情報を削除し、前記印刷手段に前記印刷ジョブを実行させない。
【００１７】
請求項６に記載の発明は、請求項１〜５の何れか一項に記載の発明において、
印刷ジョブに関する指示命令を受け付ける指示手段を更に備える。
【００１８】
請求項７に記載の発明は、請求項６に記載の発明において、
前記制御手段は、前記指示命令に基づいて前記印刷手段に前記印刷ジョブの実行を開始させる。
【００１９】
請求項８に記載の発明は、請求項６又は７に記載の発明において、
前記制御手段は、前記指示命令に基づいて、前記印刷手段による前記印刷ジョブが正常終了した場合に前記印刷ジョブ情報を削除又は保持する。
【００２０】
請求項９に記載の発明は、請求項６〜８の何れか一項に記載の発明において、
前記制御手段は、前記指示命令に基づいて、前記印刷ジョブ情報の複製、削除、削除禁止設定又は削除禁止設定解除を行う。
【００２１】
請求項１０に記載の発明は、請求項６〜９の何れか一項に記載の発明において、
前記制御手段は、前記指示命令に基づいて、前記印刷手段に前記印刷ジョブの実行を中断させる。
【００２２】
請求項１１に記載の発明は、請求項６〜１０の何れか一項に記載の発明において、
前記制御手段は、複数の印刷ジョブを管理し、前記指示命令に基づいて、印刷ジョブ数の上限を設定する。
【００２３】
請求項１２に記載の発明は、請求項１〜１１の何れか一項に記載の発明において、
前記装着布帛情報は、前記印刷手段の制御に関する情報を含む。
【００２４】
請求項１３に記載の発明は、請求項１２に記載の発明において、
前記装着布帛情報は、少なくとも布帛名称情報、ヘッド―布間距離情報、主走査ギャップ情報、往復調整情報、送り量調整情報、印刷完了時処理情報の何れかを含む。
【００２５】
請求項１４に記載のプログラムは、
通信手段を介してクライアント端末と通信可能に接続され、前記クライアント端末から送信される印刷ジョブ情報に基づいて布帛に印刷を行う印刷手段を備えたコンピュータを、
当該画像形成装置に現在装着されている布帛に関する装着布帛情報を出力する管理手段、
前記印刷ジョブ情報に基づく印刷ジョブの実行前に、前記印刷ジョブ情報で指定された指定布帛情報と前記装着布帛情報とを比較し、比較の結果、前記指定布帛情報と前記装着布帛情報とが一致する場合に、前記印刷手段に前記印刷ジョブを実行させる制御手段、
として機能させる。
【００２６】
請求項１５に記載のプログラムは、請求項１４に記載の発明において、
前記装着布帛情報は、前記印刷手段の制御に関する情報を含む。
【００２７】
請求項１６に記載の発明は、
クライアント端末と画像形成装置とが通信手段を介して通信可能に接続された画像形成システムであって、
前記クライアント端末は、
布帛の種類を指定する指定布帛情報を含む印刷ジョブ情報を生成し、当該印刷ジョブ情報を前記画像形成装置に送信する生成手段、
を備え、
前記画像形成装置は、
前記クライアント端末から送信される印刷ジョブ情報に基づいて布帛に印刷を行う印刷手段と、
当該画像形成装置に現在装着されている布帛に関する装着布帛情報を出力する管理手段と、
前記印刷ジョブ情報に基づく印刷ジョブの実行前に、前記印刷ジョブ情報に含まれる指定布帛情報と前記装着布帛情報とを比較し、比較の結果、前記指定布帛情報と前記装着布帛情報とが一致する場合に、前記印刷手段に前記印刷ジョブを実行させる制御手段と、
を備える。
【００２８】
請求項１７に記載の発明は、請求項１６に記載の発明において、
前記装着布帛情報は、前記印刷手段の制御に関する情報を含む。
【発明の効果】
【００２９】
請求項１、１４、１６に記載の発明によれば、画像形成装置は、印刷ジョブの実行前に、印刷ジョブ情報で指定された指定布帛情報と、現在装着されている布帛に関する装着布帛情報とを比較する。画像形成装置は、比較の結果、前記指定布帛情報と前記装着布帛情報とが一致する場合に、印刷ジョブを実行する。そのため、画像形成装置は、印刷ジョブで指定された布帛以外の布帛への印刷を確実に防止することができる。また、敢えて自動化せずにオペレータに布帛情報を入力させることで、オペレータが行うべき手順および確認作業を確実に行わせることが可能になる。
【００３０】
請求項２に記載の発明によれば、画像形成装置は、印刷ジョブの進捗状態を管理する。そのため、効率的な画像形成処理を行うことができる。
【００３１】
請求項３に記載の発明によれば、印刷ジョブで指定された布帛が改めて装着された場合に、印刷ジョブを再開することができる。
【００３２】
請求項４に記載の発明によれば、印刷ジョブで指定された布帛以外の布帛が装着された場合、エラーとすることができる。
【００３３】
請求項５に記載の発明によれば、印刷ジョブで指定された布帛以外の布帛が装着された場合、印刷ジョブを削除することにより、印刷ジョブで指定された布帛以外の布帛への印刷を確実に防止することができる。
【００３４】
請求項６に記載の発明によれば、ユーザが、印刷ジョブに関する操作を行うことができる。
【００３５】
請求項７に記載の発明によれば、ユーザが、操作した場合のみ、印刷ジョブを実行させることができる。
【００３６】
請求項８に記載の発明によれば、ユーザが、正常終了した印刷ジョブを削除するか、保持するかを指定することができる。
【００３７】
請求項９に記載の発明によれば、ユーザが、印刷ジョブ情報の複製、削除、削除禁止設定、削除禁止設定解除を設定することができる。
【００３８】
請求項１０に記載の発明によれば、ユーザが、印刷ジョブの実行を中断させることができる。
【００３９】
請求項１１に記載の発明によれば、ユーザが、印刷ジョブ数の上限を設定することができる。
【００４０】
請求項１２、１５、１７に記載の発明によれば、誤った印刷制御を防ぐことができ、プリンタヘッドの損傷等を防ぐことができる。
【００４１】
請求項１３に記載の発明によれば、誤った印刷制御に関するパラメータが参照されることを防ぐことができる。
【発明を実施するための最良の形態】
【００４２】
以下、図面を参照して本発明の一実施形態について説明する。
【００４３】
[画像形成システムのシステム構成]
図１に、画像形成システム１００のシステム構成を示す。画像形成システム１００は、布帛に色相・柄等の画像を形成する捺染システムであり、布帛への印刷業務を行う工場等に設置される。
【００４４】
図１に示すように、画像形成システム１００は、クライアント端末１０、クライアント端末２０、画像形成装置３０とから構成されている。各装置はイーサネット（登録商標）（Ethernet（登録商標）)等の通信ネットワークＮを介してデータ通信可能に接続されている。
【００４５】
また、画像形成装置３０は、サーバ装置４０とプリンタ装置５０とから構成されている。サーバ装置４０とプリンタ装置５０とは、ＵＳＢ（Universal Serial Bus）等のバスやＬＶＤＳ（Low voltage differential signaling）等の電気信号システムを介してデータ通信可能に接続されている。また、サーバ装置４０は、通信ネットワークＮを介して、外部機器（クライアント端末１０、クライアント端末２０）とデータ通信可能に接続されている。
【００４６】
クライアント端末１０は、画像形成装置３０のクライアントである。クライアント端末１０として、ＲＩＰ（Raster Image Processor）プログラムがインストールされたコンピュータが適用可能である。クライアント端末１０は、印刷ジョブ情報を生成し、当該印刷ジョブ情報をサーバ装置４０に送信する。クライアント端末１０のユーザであるデザイナーは、画像形成装置３０に印刷させたい画像、印刷対象である布帛等を画面上で選択する。そして、デザイナーは、クライアント端末１０に印刷ジョブ情報を生成させ、当該印刷ジョブ情報をサーバ装置４０に送信させる。
【００４７】
図２に、印刷ジョブ情報のデータ構成を示す。図２に示すように、印刷ジョブ情報は、印刷条件情報と画像データとから構成される。画像データとは、当該印刷ジョブ情報による印刷ジョブにおいて、布帛に形成する画像のデータである。
【００４８】
図３に、印刷条件情報のデータ構成図を示す。図３に示すように、印刷条件情報は、印刷解像度、印刷長、印刷幅、指定布帛情報等から構成される。ここで、指定布帛情報は、印刷対象となる布帛を指定するための情報である。例えば、指定布帛情報は、布帛の名称を示す布帛名称情報である。
【００４９】
図１に戻り、クライアント端末２０は、クライアント端末１０と同様の構成となっており、その説明を省略する。
【００５０】
画像形成装置３０は、印刷ジョブ情報に基づいて、布帛に画像を形成する（印刷する）装置である。前述のように、画像形成装置３０は、サーバ装置４０とプリンタ装置５０とから構成されている。
【００５１】
プリンタ装置５０は、シリアルヘッド方式のインクジェットプリンタである。プリンタ装置５０には、印刷対象（画像形成対象）となる布帛が装着される。
【００５２】
サーバ装置４０は、クライアント端末１０等の外部機器から印刷ジョブ情報を受信し、当該印刷ジョブ情報を解析する。そして、プリンタ装置５０に印刷制御の指示信号を送信する。そして、プリンタ装置５０は布帛に画像を形成する。サーバ装置４０は、印刷ジョブ情報の一覧を画面に表示する。
【００５３】
画像形成装置３０のユーザであるオペレータは、サーバ装置４０の画面に表示された印刷ジョブ情報の一覧を参照し、プリンタ装置５０に画像形成対象となる布帛を装着させる。そして、オペレータは、サーバ装置４０において印刷ジョブ情報を選択し、サーバ装置４０に、印刷制御の指示信号をプリンタ装置５０に送信させる。そして、プリンタ装置５０は、布帛に画像を形成する。
【００５４】
[クライアント装置の機能的構成]
図４に、クライアント端末１０の機能的構成を示す。
【００５５】
図４に示すように、クライアント端末１０は、制御部１１、操作部１２、表示部１３、通信部１４、記憶部１５を備えて構成され、各部はバス１６により接続されている。
【００５６】
制御部１１は、ＣＰＵ（Central Processing Unit）、ＲＡＭ（Random Access Memory）等から構成され、クライアント端末１０の各部の処理動作を統括的に制御する。具体的には、ＣＰＵは、操作部１２から入力される操作信号又は通信部１４により受信される指示信号に応じて、記憶部１５に記憶されている各種処理プログラムを読み出し、ＲＡＭ内に形成されたワークエリアに展開し、当該プログラムとの協働により各種処理を行う。
【００５７】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００５８】
表示部１３は、ＬＣＤ（Liquid Crystal Display）により構成され、制御部１１から入力される表示データに基づいて各種画面を表示する。
【００５９】
通信部１４は、ＬＡＮ（Local Area Network）アダプタ、ルータ、ＴＡ（Terminal Adapter）等を備え、通信ネットワークＮを介して接続されたサーバ装置４０等の外部機器との間でデータの送受信を行う。
【００６０】
記憶部１５は、ハードディスク等から構成され、制御プログラム、当該プログラムの実行に必要なパラメータやファイル等を記憶している。また、記憶部１５は、ＲＩＰプログラム１５１を記憶する。
【００６１】
制御部１１は、記憶部１５に記憶されたＲＩＰプログラム１５１と協働して、布帛に印刷する画像データを指定する。そして、制御部１１は、ＲＩＰプログラム１５１と協働して、サーバ装置４０から、布帛名称情報を取得する。そして、制御部１１は、ＲＩＰプログラム１５１と協働して、布帛名称情報、指定した画像データ等に基づいて印刷ジョブ情報を生成する。そして、制御部１１は、ＲＩＰプログラム１５１と協働して、印刷ジョブ情報をサーバ装置４０に送信する。
【００６２】
[画像形成装置の概要]
次に、図５を用いて画像形成装置３０の概要について説明する。図５に示すように、画像形成装置３０は、輸送ユニット３１、スキャンユニット３２、インクラック３３と、サーバ装置４０とを備えている。また、サーバ装置４０を除いた輸送ユニット３１、スキャンユニット３２及びインクラック３３が、プリンタ装置５０を構成する。
【００６３】
輸送ユニット３１の上部には、図示しない記憶媒体を裏面側から支持しながら図中矢印Ｙで示される副走査方向Ｙに搬送するための無端状の搬送ベルト３１１が配設されている。なお、本実施の形態では、輸送ユニット３１とスキャンユニット３２とは別体として形成されているが、一体的に形成することも可能である。
【００６４】
輸送ユニット３１の搬送ベルト３１１上方のスキャンユニット３２の内部部分には、棒状のキャリッジレール３２１が副走査方向Ｙに直交し図中矢印Ｘで示される主走査方向Ｘに延在するように配設されており、キャリッジレール３２１には、略筐体状のキャリッジ３２２がキャリッジレール３２１に沿って主走査方向Ｘに往復移動自在に支持されている。
【００６５】
図示を省略するが、キャリッジ３２２には、イエロー（Ｙ）、マゼンタ（Ｍ）、シアン（Ｃ）、ブラック（Ｋ）等の各色のインクを吐出する複数の記録ヘッドが搭載されており、各記録ヘッドのノズルから搬送ベルト３１１上の記録媒体に対して各色のインクが吐出されるようになっている。
【００６６】
本実施の形態では、スキャンユニット３２の背後に、各記録ヘッドにそれぞれ供給する各色のインクを貯蔵するインクタンク３３１を備えるインクラック３３が配置されている。各インクタンク３３１からは、図示しない供給管を介して各記録ヘッドにインクがそれぞれ供給されるようになっている。
【００６７】
また、スキャンユニット３２の下方には、画像形成装置３０を構成する各部を制御するためのサーバ装置４０が配設されている。
【００６８】
[布帛の種類毎の印刷に関する制御調整]
画像形成装置３０が印刷する記録媒体としての布帛には、厚さ、布質等が異なる様々な種類の布帛がある。画像形成装置３０は、これらの布帛の種類に応じた、印刷のための様々な制御調整（制御パラメータ調整）を行う。オペレータは、プリンタ装置５０に布帛を巻いたロールを装着させた場合、画像形成装置３０に制御パラメータ調整を行わせる必要がある。
【００６９】
図６に示すように、プリンタ装置５０に装着された布帛を巻いたロールＭｄから記録媒体としての布帛Ｍが、搬送ベルト３１１上に送られる。プリンタ装置５０は、印刷制御を行う際、布帛の種類に応じて、搬送ベルト３１１上の布帛（記録媒体）とキャリッジ３２２に搭載された記録ヘッドとの距離Ｌ（ヘッド―布間距離Ｌ）の調整を行う。この調整の指示は、サーバ装置４０から送信される。プリンタ装置５０は、この調整の指示に従って、キャリッジ３２２を上下に移動させ、ヘッド―布間距離Ｌの調整を行う。このヘッド―布距離Ｌの調整により得られたパラメータは、後述する布帛情報に含まれる「ヘッド―布間距離情報」としてサーバ装置４０に記憶される。
【００７０】
プリンタ装置５０は、主走査ギャップ調整を行う。主走査ギャップ調整とは、主走査方向Ｘに対して、異なるヘッド間で、同一位置にノズルから吐出された液滴を着弾させるための調整である。液滴の着弾位置は、キャリッジ３２２の主走査速度、ヘッド―布間距離Ｌ、液滴速度、ヘッド取り付け位置精度等により影響される。キャリッジ３２２の主走査速度は、主走査解像度、印字液滴数、印刷モードのパラメータで抽象化される。キャリッジ３２２には、たとえば２４個の記録ヘッドが搭載されている。プリンタ装置５０は、それぞれの記録ヘッドに対して当該調整を行う。
【００７１】
主走査ギャップ調整の指示は、サーバ装置４０からプリンタ装置５０に送信される。主走査ギャップ調整により得られたパラメータは、後述する布帛情報に含まれる「主走査ギャップ情報」としてサーバ装置４０に記憶される。
【００７２】
プリンタ装置５０は、往復調整を行う。往復調整とは、主走査方向Ｘに対して、同一ヘッドを用いて、往路と復路で、同一位置にノズルから吐出された液滴を着弾させるための調整である。液滴の着弾位置は、キャリッジ３２２の主走査速度やヘッド―布間距離、液滴速度等により影響される。前述のように、キャリッジ３２２の主走査速度は、主走査解像度、印字液滴数、印刷モードのパラメータで抽象化される。プリンタ装置５０は、キャリッジ３２２に搭載された記録ヘッド（たとえば２４個）それぞれに対して当該調整を行う。
【００７３】
往復調整の指示は、サーバ装置４０からプリンタ装置５０に送信される。往復調整により得られたパラメータは、後述する布帛情報に含まれる「往復調整情報」としてサーバ装置４０に記憶される。
【００７４】
プリンタ装置５０は、送り量調整を行う。送り量調整とは、キャリッジ３２２の一走査毎に、搬送ベルト３１１が副走査方向Ｙに布帛を搬送する量の調整である。送り量は、搬送ベルト３１１上の布帛の材質（伸縮性等）、搬送ベルト送り精度等に影響される。インクジェットの場合、搬送ベルト３１１にシワや浮きの無いように布帛を設置する必要がある。そのため、プリンタ装置５０は、搬送ベルト３１１上の布帛をある程度の張力で引っ張る。よって、送り量調整が必要となる。シャトル型のインクジェットにおいて、送り量は、記録ヘッドのノズル間解像度、使用ノズル数、実印時の副走査方向画像解像度及び印刷モードにより決定される。通常、記録ヘッドのノズル間解像度は、副走査方向画像解像度よりも低い。プリンタ装置５０は、キャリッジ３２２を複数回移動、搬送することで、印字解像度を満たす画像を印刷する。送り量は、副走査方向画像解像度、印刷モードのパラメータで抽象化される。
【００７５】
送り量調整の指示は、サーバ装置４０からプリンタ装置５０に送信される。送り量調整により得られたパラメータは、後述する布帛情報に含まれる「送り量調整情報」としてサーバ装置４０に記憶される。
【００７６】
[画像形成装置の機能的構成]
図７に、画像形成装置３０の機能的構成を示す。
【００７７】
図７に示すように、画像形成装置３０は、サーバ装置４０とプリンタ装置５０とから構成されている。
【００７８】
サーバ装置４０は、制御部４１、操作部４２、表示部４３、通信部４４、記憶部４５、ＵＳＢデバイス４６、ＰＣＩデバイス４７を備えて構成され、各部はバス４８により接続されている。
【００７９】
制御部４１は、ＣＰＵ、ＲＡＭ等から構成され、サーバ装置４０の各部の処理動作を統括的に制御する。具体的には、ＣＰＵは、操作部４２から入力される操作信号又は通信部４４により受信される指示信号に応じて、記憶部４５に記憶されている各種処理プログラムを読み出し、ＲＡＭ内に形成されたワークエリアに展開し、当該プログラムとの協働により各種処理を行う。
【００８０】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００８１】
表示部４３は、ＬＣＤにより構成され、制御部４１から入力される表示データに基づいて各種画面を表示する。
【００８２】
通信部４４は、ＬＡＮアダプタ、ルータ、ＴＡ等を備え、通信ネットワークＮを介して接続されたクライアント端末１０、２０等の外部機器との間でデータの送受信を行う。
【００８３】
記憶部４５は、ハードディスク等から構成され、制御プログラム、当該プログラムの実行に必要なパラメータやファイル等を記憶している。また、記憶部４５は、ネットワーク管理プログラム４５１、ジョブ管理プログラム４５２、布帛管理プログラム４５３、画像転送制御プログラム４５４、機械制御プログラム４５５、ユーザインターフェースプログラム４５６を記憶する。また、記憶部４５は、一又は複数の印刷ジョブ情報のファイル（印刷ジョブ情報ファイル）、一又は複数の布帛情報のファイル（布帛情報ファイル）を記憶する。
【００８４】
図８に、布帛情報のデータ構成図を示す。図８に示すように、布帛情報は、布帛名称情報、ヘッド―布間距離情報、着弾位置調整用パラメータ（主走査ギャップ情報、往復調整情報）、送り量調整情報、印刷完了時処理情報等から構成される。ここで、ヘッド―布間距離情報、着弾位置調整用パラメータ（主走査ギャップ情報、往復調整情報）、送り量調整情報、印刷完了時処理情報は、プリンタ装置５０の制御に関する情報（パラメータ）である。
【００８５】
図７に戻り、ＵＳＢデバイス４６は、外部機器と、ＵＳＢ規格に則ってデータ通信を行うための装置である。ＵＳＢデバイス４６は、プリンタ装置５０と接続されている。
【００８６】
ＰＣＩデバイス４７は、外部機器とＬＶＤＳのような電気信号システムでデータ通信を行うための装置である。ＰＣＩデバイス４７は、プリンタ装置５０と接続されている。
【００８７】
[サーバ装置の制御部のソフトウエア機能構成]
図９に、サーバ装置４０の制御部４１のソフトウエア機能構成図を示す。
【００８８】
図９に示すように、制御部４１は、記憶部４５に記憶されているネットワーク管理プログラム４５１との協働によりネットワーク管理機能部４１２としての機能を実現する。制御部４１は、記憶部４５に記憶されているジョブ管理プログラム４５２との協働によりジョブ管理機能部４１３としての機能を実現する。制御部４１は、記憶部４５に記憶されている布帛管理プログラム４５３との協働により布帛管理機能部４１４としての機能を実現する。制御部４１は、記憶部４５に記憶されている画像転送制御プログラム４５４との協働により画像転送制御機能部４１５としての機能を実現する。制御部４１は、記憶部４５に記憶されている機械制御プログラム４５５との協働により機械制御機能部４１６としての機能を実現する。制御部４１は、記憶部４５に記憶されているユーザインターフェースプログラム４５６との協働によりユーザインターフェース機能部４１７としての機能を実現する。また、制御部４１は、図示しないＯＳ（Operation System）等のプログラムとの協働により全体制御機能部４１１としての機能を実現する。
【００８９】
全体制御機能部４１１は、各ソフトウエア機能部（ネットワーク管理機能部４１２、ジョブ管理機能部４１３、布帛管理機能部４１４、画像転送制御機能部４１５、機械制御機能部４１６、ユーザインターフェース機能部４１７等）の処理動作を統括的に制御する。各ソフトウエア機能部は、全体制御機能部４１１を介して、各ソフトウエア機能部間でのデータの入出力を行う。
【００９０】
ネットワーク管理機能部４１２は、通信部４４を介して、外部機器との間で印刷ジョブ情報や布帛名称情報等の送受信を行う。
【００９１】
ジョブ管理機能部４１３は、印刷ジョブ情報の管理を行う。ジョブ管理機能部４１３は、ネットワーク管理機能部４１２により外部機器から受信された印刷ジョブ情報を印刷ジョブ情報ファイルとして記憶部４５に記憶させ、管理する。ジョブ管理機能部４１３は、ユーザインターフェース機能部４１７から入力された操作信号に基づいて、管理している印刷ジョブ情報の中から実行する印刷ジョブ情報を選択し、当該選択した印刷ジョブ情報を実行印刷ジョブ情報として設定する。そして、ジョブ管理機能部４１３は、実行印刷ジョブ情報に基づいて、各ソフトウエア機能部に印刷に関する指示命令を出力する。
【００９２】
ジョブ管理機能部４１３は、ユーザインターフェース機能部４１７から入力された操作信号に基づいて、管理する印刷ジョブのジョブ数の上限を設定する。つまり、ジョブ管理機能部４１３は、ユーザインターフェース機能部４１７から入力された操作信号に基づいて、ユーザ情報ファイルのファイル数の上限を設定する。また、ジョブ管理機能部４１３は、管理する印刷ジョブのジョブ数の上限の設定に伴い、ユーザインターフェース機能部４１７と協働して表示部４３に表示するジョブリストｔ２（詳細は後述）に表示されるレコード数の上限を、管理する印刷ジョブのジョブ数と同数に設定する。
【００９３】
布帛管理機能部４１４は、布帛情報の管理を行う。布帛管理機能部４１４は、ユーザインターフェース機能部４１７から入力された操作信号に基づいて、布帛情報ファイルを生成し、記憶部４５に記憶させ、管理する。布帛管理機能部４１４は、ユーザインターフェース機能部４１７から入力された操作信号に基づいて、管理している布帛情報の中からプリンタ装置５０に装着されている布帛に関する布帛情報を選択し、当該選択した布帛情報を装着布帛情報として設定する。
【００９４】
画像転送制御機能部４１５は、ＰＣＩデバイス４７を介して、プリンタ装置５０との間で画像データの送受信を行う。
【００９５】
機械制御機能部４１６は、ＵＳＢデバイス４６を介して、プリンタ装置５０との間で制御信号等の送受信を行う。
【００９６】
ユーザインターフェース機能部４１７は、表示部４３に各種画面を表示させ、操作部４２からの操作信号を受け付ける。
【００９７】
[布帛装着時における、サーバ装置の具体的な動作]
次に、図１０を用いて布帛装着時における、サーバ装置４０の具体的な動作を説明する。
【００９８】
図１０に示すように、オペレータは、プリンタ装置５０に印刷対象となる布帛を装着させる。そして、オペレータは、操作部４２に布帛リスト画面４３４（図１７参照）を表示する旨のユーザ操作を行う。そして、ユーザインターフェース機能部４１７は、布帛管理機能部４１４と連携して、表示部４３に、布帛リスト画面４３４を表示させる。
【００９９】
オペレータは、布帛リスト画面４３４等において、プリンタ装置５０に装着されている布帛に対応する布帛情報を選択する旨のユーザ操作を行う。布帛管理機能部４１４は、ユーザインターフェース機能部４１７からの操作信号に基づいて、布帛情報を選択する（ステップＳ１）。または、オペレータは、布帛リスト画面４３４等において、プリンタ装置５０に装着されている布帛に対応する布帛情報を生成する旨のユーザ操作を行う。布帛管理機能部４１４は、ユーザインターフェース機能部４１７からの操作信号に基づいて、布帛情報を生成する（ステップＳ１）。
【０１００】
オペレータは、主走査ギャップ調整画面４３８（図２１参照）、往復調整画面４３９（図２２参照）、送り量調整画面４４０（図２３参照）等において、選択された布帛情報に含まれるプリンタ装置５０の制御に関するパラメータ等の調整を行う旨のユーザ操作を行う。布帛管理機能部４１４は、ユーザインターフェース機能部４１７からの操作信号に基づいて、選択された布帛情報に含まれるパラメータを調整する。
【０１０１】
オペレータは、調整されたパラメータでテスト印刷を行う旨のユーザ操作を行う。機械制御機能部４１６は、ユーザインターフェース機能部４１７からの操作信号に基づいて、前記調整されたパラメータでテスト印刷等を行う旨の制御信号をＵＳＢデバイス４６を介してプリンタ装置５０に送信する。
【０１０２】
オペレータは、テスト結果を見て、パラメータの再設定（再調整）を行う旨のユーザ操作を行うことができる。布帛管理機能部４１４は、ユーザインターフェース機能部４１７からの操作信号に基づいて、調整されたパラメータを再設定（調整）する（ステップＳ２）。
【０１０３】
オペレータは、布帛リスト画面４３４等において、選択された布帛情報を、プリンタ装置５０に装着されている布帛に対応する布帛情報として確定する旨のユーザ操作を行う。布帛管理機能部４１４は、ユーザインターフェース機能部４１７からの操作信号に基づいて、選択した布帛情報を、装着布帛情報として設定（適用）する（ステップＳ３）。以上で処理が終了する。
【０１０４】
[印刷ジョブ送信時における、画像形成システムにおける各装置の具体的な動作]
次に、図１１を用いて、印刷ジョブ送信時における、画像形成システム１００における各装置の具体的な動作を説明する。
【０１０５】
図１１に示すように、デザイナーは、クライアント端末１０の操作部１２に、布帛に印刷する画像を指定する旨のユーザ操作を行う。そして、クライアント端末１０は、操作部１２からの操作信号に基づいて、画像データを指定する（ステップＳ１０１）。指定される画像データとしては、記憶部１５に記憶されているデータ、インターネット等の外部の通信網から取得したデータ、可搬型記憶媒体（ＣＤ―Ｒ等）から読み込んだデータ等が挙げられる。
【０１０６】
次に、クライアント端末１０は、通信ネットワークＮに接続されている画像形成装置３０を検索する（ステップＳ１０２）。そして、通信ネットワークＮに接続されているサーバ装置４０は、自装置の概要を示す概要情報をクライアント端末１０に返信する（ステップＳ１０３）。クライアント端末１０は、この概要情報を表示部１３に表示する。この概要情報には、画像形成装置３０の装置名、画像形成装置３０の稼動状況等が含まれる。
【０１０７】
オペレータは、概要情報を参照して、布帛に印刷させる画像形成装置を選択する。本実施の形態においては、画像形成装置は、通信ネットワークＮに接続されている画像形成装置３０の一台のみであるが、通信ネットワークＮに画像形成装置を複数台接続させて、その中からオペレータが所望の画像形成装置を選択することとしてもよい。
【０１０８】
そして、オペレータは、操作部１２に、画像形成装置３０において管理されている布帛の布帛名称情報の取得要求を送信する旨のユーザ操作を行う。クライアント端末１０は、操作部１２からの操作信号に基づいて、布帛名称情報の取得要求をサーバ装置４０に送信する（ステップＳ１０４）。
【０１０９】
サーバ装置４０の布帛管理機能部４１４は、ネットワーク管理機能部４１２から布帛名称情報の取得要求を受け付けると、管理している各布帛情報ファイルに含まれる布帛名称情報を読み出す。そして、布帛管理機能部４１４は、読み出した布帛名称情報をネットワーク管理機能部４１２を介してクライアント端末１０に送信する（ステップＳ１０５）。
【０１１０】
クライアント端末１０の制御部１１は、送信された布帛名称情報に基づいて、画像形成装置３０において管理されている布帛の名称の一覧を表示部１３に表示する。オペレータは、布帛の名称の一覧を参照して、画像データを印刷させる布帛を選択する旨のユーザ操作を操作部１２に行う。また、オペレータは、記憶部１５に記憶されている、画像データに色変換を行うためのＬＵＴ（Look Up Table）を選択、又は生成する旨のユーザ操作を操作部１２に行う。また、オペレータは、印刷解像度、印刷長、印刷幅等を指定する旨のユーザ操作を操作部１２に行う。
【０１１１】
制御部１１は、操作部１２からの操作信号に基づいて、画像データを印刷させる布帛の布帛名称情報を選択する。そして、制御部１１は、選択した布帛名称情報を指定布帛情報とする。制御部１１は、操作部１２からの操作信号に基づいて、ＬＵＴを選択又は生成する。そして、制御部１１は、選択した画像の画像データに対して、ＬＵＴに基づいて色変換等を行う。また、制御部１１は、操作部１２からの操作信号に基づいて、印刷解像度、印刷長、印刷幅等を指定する。制御部１１は、選択した画像の画像データと、指定布帛情報と、指定した印刷解像度、印刷長、印刷幅等に基づいて、印刷ジョブ情報を生成する（ステップＳ１０６）。
【０１１２】
そして、制御部１１は、生成した印刷ジョブ情報を通信部１４を介してサーバ装置４０に送信する（ステップＳ１０７）。
【０１１３】
サーバ装置４０のジョブ管理機能部４１３は、ネットワーク管理機能部４１２から印刷ジョブ情報を受け付けると、この印刷ジョブ情報を印刷ジョブ情報ファイルとして記憶部４５に記憶させ、ジョブリストに追加して管理する（ステップＳ１０８）。以上で処理が終了する。
【０１１４】
[印刷ジョブ実行時における、サーバ装置の具体的な動作]
次に、図１２を用いて、印刷ジョブ実行時における、サーバ装置４０の具体的な動作を説明する。
【０１１５】
図１２に示すように、オペレータは、サーバ装置４０の操作部４２に、画像形成装置３０のサーバ装置４０が管理している印刷ジョブ情報の一覧を表示させる旨のユーザ操作を行う。ジョブ管理機能部４１３は、ユーザインターフェース機能部４１７から操作信号を受け付けると、ユーザインターフェース機能部４１７と協働して、表示部４３にジョブ一覧画面４３２（図１５参照）を表示させる（ステップＳ２０１）。
【０１１６】
オペレータは、ジョブ一覧画面４３２において、画像形成装置３０において実行する印刷ジョブ情報を選択する旨のユーザ操作を操作部４２に行う。ジョブ管理機能部４１３は、ユーザインターフェース機能部４１７から操作信号に基づいて、一又は複数の印刷ジョブ情報の中から、指定された印刷ジョブ情報を選択する（ステップＳ２０２）。
【０１１７】
オペレータは、ジョブ一覧画面４３２において、印刷を開始する旨のユーザ操作（印刷開始指示）を操作部４２に行う。ジョブ管理機能部４１３は、選択された印刷ジョブ情報を実行印刷ジョブ情報として設定する（ステップＳ２０３）。
【０１１８】
そして、ジョブ管理機能部４１３は、布帛情報整合性判定処理を行う（ステップＳ２０４）。
【０１１９】
図１３に、ジョブ管理機能部４１３が実行する布帛情報整合性判定処理の処理内容を示す。図１３に示すように、ジョブ管理機能部４１３は、布帛管理機能部４１４から装着布帛情報を取得する（ステップＳ３０１）。具体的には、ジョブ管理機能部４１３は、布帛管理機能部４１４に、装着布帛情報の取得要求を出力する。布帛管理機能部４１４は、当該取得要求に応じて、装着布帛情報をジョブ管理機能部４１３に出力する。
【０１２０】
次に、ジョブ管理機能部４１３は、実行印刷ジョブ情報の指定布帛情報を読み出す（ステップＳ３０２）。
【０１２１】
そして、ジョブ管理機能部４１３は、装着布帛情報と指定布帛情報とが一致するか否かを判定する（ステップＳ３０３）。具体的に、ジョブ管理機能部４１３は、装着布帛情報に含まれる布帛名称情報と指定布帛情報とが一致するか否かを判定する。
【０１２２】
図１２に戻り、ジョブ管理機能部４１３は、ステップＳ２０４の布帛情報整合性判定処理において、整合性有りと判定すると（ステップＳ２０５；ＹＥＳ）、実行印刷ジョブ情報に基づいて、機械制御機能部４１６を介してプリンタ装置５０に印刷実行を指示する（ステップＳ２０６）。そして、プリンタ装置５０は、実行印刷ジョブ情報に含まれる制御に関するパラメータに従い、ヘッド―布間の距離の調整、着弾位置の調整、送り量の調整等を行い、プリンタ装置５０に装着された布帛に画像データを印刷する。
【０１２３】
そして、ジョブ管理機能部４１３は、プリンタ装置５０による画像データの印刷が正常に終了すると、実行印刷ジョブ情報に該当する印刷ジョブ情報を削除する。または、ジョブ管理機能部４１３は、プリンタ装置５０による画像データの印刷が正常に終了すると、実行印刷ジョブ情報に該当する印刷ジョブ情報を削除せずに保持する。ジョブ管理機能部４１３は、印刷終了後、実行印刷ジョブ情報に該当する印刷ジョブ情報を削除するか保留するかを、操作部４２からの操作信号に基づくユーザインターフェース機能部４１７からの信号に基づいて設定する。
【０１２４】
また、ジョブ管理機能部４１３は、布帛情報整合性判定処理において、整合性無しと判定すると（ステップＳ２０５；ＮＯ）、その旨を表示部４３に表示する（ステップＳ２０７）。即ち、印刷ジョブで指定された布帛の種類と、プリンタ装置５０に装着された布帛の種類とが異なる旨を報知する。具体的には、「印刷ジョブで指定された布帛と、装着されている布帛とが異なります。」のような文字列を表示部４３に表示する。
【０１２５】
そして、ジョブ管理機能部４１３は、機械制御機能部４１６に印刷に関する指示命令を出力せず、実行印刷ジョブ情報を削除する。または、ジョブ管理機能部４１３は、機械制御機能部４１６に印刷に関する指示命令を出力せず、実行印刷ジョブ情報を削除せずに保留する（ステップＳ２０８）。ジョブ管理機能部４１３は、布帛情報整合性判定処理において、整合性無しと判定した後、実行印刷ジョブ情報に該当する印刷ジョブ情報を削除するか保留するかを、操作部４２からの操作信号に基づくユーザインターフェース機能部４１７からの信号に基づいて設定する。以上で処理が終了する。
【０１２６】
[基本画面]
図１４に、ユーザインターフェース機能部４１７が表示部４３に表示させる基本画面４３１の画面例を示す。基本画面４３１は、タイトルバーｅ１、制御領域ｅ２、操作選択領域ｅ３、操作領域ｅ４、情報領域ｅ５、ステータスバーｅ６から構成される。
【０１２７】
タイトルバーｅ１には、ユーザインターフェース機能部４１７が表示する画面のタイトルとバージョンが表示される。制御領域ｅ２は、ツールバーである。操作選択領域ｅ３には、各種操作を行う画面を選択するボタン群が表示される。操作選択領域ｅ３において選択される画面としては、後述するジョブ一覧画面４３２、ジョブ履歴画面４３３、布帛リスト画面４３４等が挙げられる。オペレータは、操作選択領域ｅ３に表示されるボタンを押下することにより、ジョブ一覧画面４３２、ジョブ履歴画面４３３、布帛リスト画面４３４等を操作領域ｅ４に表示させる。
【０１２８】
操作領域ｅ４には、各種操作を行う画面が表示される。各種操作を行う画面としては、ジョブ一覧画面４３２、ジョブ履歴画面４３３、布帛リスト画面４３４の他に、布帛情報編集画面４３７、主走査ギャップ調整画面４３８、往復調整画面４３９、送り量調整画面４４０等が挙げられる。情報領域ｅ５には、プリンタの動作状態や布帛情報を表示する。ステータスバーには、エラー、設定されている布帛名、布の左右の位置等が表示される。
【０１２９】
[ジョブ一覧画面]
図１５に、ジョブ一覧画面４３２の画面例を示す。ユーザインターフェース機能部４１７は、ジョブ管理機能部４１３と連携して、ジョブ一覧画面４３２を表示する。ジョブ一覧画面４３２は、リスト表示条件入力領域ｅ３１、ジョブ詳細情報表示領域ｅ３２、ジョブリストｔ２、ジョブ情報設定ボタンｂ３１、印刷ボタンｂ３２、ロックボタンｂ３３、中断ボタンｂ３４、削除ボタンｂ３５から構成される。
【０１３０】
ジョブリストｔ２には、ジョブ管理機能部４１３が管理している印刷ジョブ情報の一覧が表示される。ジョブリストｔ２は、フィールド「ジョブ名」「布帛名」「日時」「状態」「ロック」「優先度」「入力進捗度」「印刷幅」「印刷長さ」「クライアントコンピュータ名」「ユーザ名」「ジョブコメント」等を持つ一又は複数のレコードから構成される。１レコードは、１回の印刷ジョブに対応する。ジョブ管理機能部４１３は、記憶部４５に記憶されている全ての印刷ジョブ情報ファイルを読み出し、ユーザインターフェース機能部４１７に出力する。ユーザインターフェース機能部４１７は、この印刷ジョブ情報ファイルに基づいて、ジョブリストｔ２を表示部４３に表示させる。ジョブリストｔ２に表示されているレコードは、選択可能となっている。
【０１３１】
ジョブリストｔ２のフィールド「状態」は、「入力中」「入力済み」「印刷待ち」「印刷中」「印刷完了」「ユーザ中断」「エラー中断」のいずれかの値が表示される。
【０１３２】
ネットワーク管理機能部４１２が印刷ジョブ情報の受信を開始し、ジョブ管理機能部４１３が当該印刷ジョブ情報の登録を完了するまでは、ジョブリストｔ２のフィールド「状態」は、「入力中」の値となる。ジョブ管理機能部４１３が当該印刷ジョブ情報の登録を完了し、実行印刷ジョブ情報とするまでは、ジョブリストｔ２のフィールド「状態」は、「入力済み」の値となる。そして、機械制御機能部４１６が、プリンタ装置５０に印刷指示を送信するまでは、ジョブリストｔ２のフィールド「状態」は、「印刷待ち」の値となる。そして、機械制御機能部４１６が、プリンタ装置５０に印刷指示を送信し、プリンタ装置５０の印刷制御が完了するまでは、ジョブリストｔ２のフィールド「状態」は、「印刷中」の値となる。そして、プリンタ装置５０の印刷制御が完了すると、ジョブリストｔ２のフィールド「状態」は「印刷完了」の値となる。また、プリンタ装置５０の印刷制御が異常中断すると、ジョブリストｔ２のフィールド「状態」は、「エラー中断」の値となる。また、中断ボタンｂ３４が押下されると、ジョブリストｔ２のフィールド「状態」は、「ユーザ中断」となる。これらの印刷ジョブの「状態」は、ジョブ管理機能部４１３において、印刷ジョブ情報と関連付けられて管理されている。
【０１３３】
リスト表示条件入力領域ｅ３１は、印刷ジョブの状態を指定し、指定された状態の印刷ジョブ情報のみを表示させる指示を入力するための領域である。リスト表示条件入力領域ｅ３１は、「入力中」チェックボックス、「入力済み」チェックボックス、「印刷待ち」チェックボックス、「印刷中」チェックボックス、「印刷完了」チェックボックス、「ユーザー中断」チェックボックス、「エラー中断」チェックボックス等から構成される。ユーザが「エラー中断」チェックボックスのみにチェックを入れた場合、ジョブリストｔ２には、フィールド「状態」が「エラー中断」であるレコードのみが表示される。更に、リスト表示条件入力領域ｅ３１には、ジョブ数とＨＤＤ（ハードディクス）残量を表示する領域が含まれる。ここでいうＨＤＤとは、記憶部４５の記憶領域のことである。
【０１３４】
ジョブ詳細情報表示領域ｅ３２は、ジョブリストｔ２において選択された印刷ジョブ情報の詳細情報を表示する領域である。このジョブ詳細情報表示領域ｅ３２では、印刷ジョブ情報の編集のための入力が可能である。
【０１３５】
ジョブ情報設定ボタンｂ３１は、ジョブ詳細情報表示領域ｅ３２で印刷ジョブ情報の編集のために入力した情報に基づいて、印刷ジョブ情報を編集し確定するためのボタンである。ユーザがジョブ情報設定ボタンｂ３１を押下すると、ジョブ管理機能部４１３は、該当する印刷ジョブ情報を更新する。
【０１３６】
印刷ボタンｂ３２は、ジョブリストｔ２において選択した印刷ジョブを実行するためのボタンである。ユーザによって、印刷ボタンｂ３２が押下されると、ジョブ管理機能部４１３は、選択された印刷ジョブ情報を実行印刷ジョブ情報とする。そして、ジョブ管理機能部４１３は、実行印刷ジョブ情報に基づいて、機械制御機能部４１６を介して、プリンタ装置５０に印刷制御の指示信号を送信する。そして、プリンタ装置５０は、印刷を実行する。
【０１３７】
また、操作部４２からの操作信号によるユーザインターフェース機能部４１７からの信号に基づいて、ジョブ管理機能部４１３は自動印刷の設定を行う。ここで、自動印刷とは、印刷ボタンｂ３２の押下による印刷開始の指示信号によらず、ジョブ管理機能部４１３が、実行印刷ジョブを選択し、機械制御機能部４１６を介して、プリンタ装置５０に印刷制御の指示信号を送信することである。
【０１３８】
ロックボタンｂ３３は、ジョブリストｔ２において選択された印刷ジョブ情報に関する操作をロック（ＯＮ）又はロック解除（ＯＦＦ）するためのボタンである。選択された印刷ジョブ情報のフィールド「ロック」が「ＯＮ」の場合に、ロックボタンｂ３３が押下されると、フィールド「ロック」は「ＯＦＦ」となる。また、選択した印刷ジョブ情報のフィールド「ロック」が「ＯＦＦ」の場合に、ロックボタンｂ３３が押下されると、フィールド「ロック」は「ＯＮ」となる。「ロック」が「ＯＮ」のレコードは、レコード削除等の操作ができなくなる。
【０１３９】
中断ボタンｂ３４は、印刷中の印刷ジョブを中断するためのボタンである。オペレータによって中断ボタンｂ３４が押下されると、ジョブ管理機能部４１３は、機械制御機能部４１６を介してプリンタ装置５０に印刷処理を中断する旨の指示信号を送信する。そして、プリンタ装置５０は、印刷処理を中断する。ジョブリストｔ２の該当する印刷ジョブのレコードのフィールド「状態」の値は「ユーザ中断」となる。
【０１４０】
削除ボタンｂ３５は、ジョブリストｔ２において選択された印刷ジョブを削除するためのボタンである。オペレータによって削除ボタンｂ３５が押下されると、ジョブ管理機能部４１３は、該当する印刷ジョブ情報ファイルを記憶部４５から削除する。また、ユーザインターフェース機能部４１７は、ジョブリストｔ２から選択されたレコードを削除する。
【０１４１】
[ジョブ履歴画面]
図１６に、ジョブ履歴画面４３３の画面例を示す。ユーザインターフェース機能部４１７は、ジョブ管理機能部４１３と連携して、ジョブ履歴画面４３３を表示する。ジョブ履歴画面４３３は、履歴リストｔ３、ジョブ詳細情報表示領域ｅ４１、削除ボタンｂ４１、全削除ボタンｂ４２から構成される。
【０１４２】
履歴リストｔ３は、正常終了、異常中断／終了した印刷ジョブの情報の一覧が表示される。履歴リストｔ３は、フィールド「状態」「ジョブ名」「布帛名」「印刷幅」「印刷長さ」「印刷日時」「クライアントコンピュータ名」「ユーザ名」を持つ一または複数のレコードから構成される。１レコードは、１回の印刷ジョブに対応する。ジョブ管理機能部４１３は、印刷の進捗状態が「印刷完了」「ユーザ中断」「エラー中断」となっている印刷ジョブ情報に対応するレコードを表示する。
【０１４３】
ジョブ詳細情報表示領域ｅ４１は、履歴リストｔ３において選択された印刷ジョブ情報の詳細情報を表示する領域である。
【０１４４】
削除ボタンｂ４１は、履歴リストｔ３において選択された印刷ジョブを削除するためのボタンである。オペレータによって削除ボタンｂ４１が押下されると、ジョブ管理機能部４１３は、該当する印刷ジョブ情報ファイルを記憶部４５から削除する。また、ユーザインターフェース機能部４１７は、履歴リストｔ３から選択されたレコードを削除する。
【０１４５】
全削除ボタンｂ４２は、履歴リストｔ３に表示されている全ての印刷ジョブを削除するためのボタンである。オペレータによって全削除ボタンｂ４２が押下されると、ジョブ管理機能部４１３は、印刷の進捗状態が「印刷完了」「ユーザ中断」「エラー中断」となっている印刷ジョブ情報ファイルを記憶部４５から削除する。また、ユーザインターフェース機能部４１７は、履歴リストｔ３から選択されたレコードを削除する。
【０１４６】
[布帛リスト画面]
図１７に、布帛リスト画面４３４の画面例を示す。ユーザインターフェース機能部４１７は、布帛管理機能部４１４と連携して、布帛リスト画面４３４を表示する。布帛リスト画面４３４は、布帛リストｔ１、保存ボタンｂ１、読み込みボタンｂ２、編集ボタンｂ３、主走査ギャップ調整ボタンｂ４、往復調整ボタンｂ５、送り量調整ボタンｂ６、布帛選択ボタンｂ７、新規作成ボタンｂ８、複製ボタンｂ９、削除ボタンｂ１０等から構成される。
【０１４７】
布帛リストｔ１には、布帛管理機能部４１４が管理している布帛情報の一覧が表示される。布帛リストｔ１は、フィールド「布帛名」「作成日時／修正日時」「メモ」を持つ一又は複数のレコードから構成される。１レコードは一種類の布帛に対応する。布帛管理機能部４１４は、記憶部４５に記憶されている全ての布帛情報ファイルを読み出し、ユーザインターフェース機能部４１７に出力する。ユーザインターフェース機能部４１７は、この布帛情報ファイルに基づいて、布帛リストｔ１を表示部４３に表示させる。布帛リストｔ１に表示されているレコードは、選択可能となっている。
【０１４８】
保存ボタンｂ１は、布帛リストｔ１に表示されているレコードに対応する布帛の布帛情報を布帛情報ファイルとして記憶部４５に記憶させるためのボタンである。オペレータにより保存ボタンｂ１が押下されると、布帛管理機能部４１４は、布帛リストｔ１に表示されているレコードに対応する布帛の布帛情報を布帛情報ファイルとして記憶部４５に記憶させる。または、既に対応する布帛情報ファイルが記憶部４５に記憶されている場合は、布帛管理機能部４１４は、当該布帛情報ファイルを上書き更新する。
【０１４９】
読み込みボタンｂ２は、記憶部４５に記憶されている全ての布帛情報ファイルを読み出し、当該布帛情報ファイルに対応するレコードを布帛リストｔ１に表示させるためのボタンである。オペレータにより読み込みボタンｂ２が押下されると、布帛管理機能部４１４は、記憶部４５から布帛情報ファイルを読み出し、ユーザインターフェース機能部４１７に出力する。ユーザインターフェース機能部４１７は、当該布帛情報ファイルに基づいて、布帛リストｔ１にレコードを表示する。
【０１５０】
編集ボタンｂ３は、布帛リストｔ１において選択されたレコードに対応する布帛の布帛情報を編集するためのボタンである。オペレータにより編集ボタンｂ３が押下されると、布帛情報編集画面４３７が表示部４３にポップアップ表示される。
【０１５１】
主走査ギャップ調整ボタンｂ４は、布帛リストｔ１において選択されているレコードに対応する布帛の布帛情報のパラメータを調整するためのボタンである。オペレータにより主走査ギャップ調整ボタンｂ４が押下されると、主走査ギャップ調整画面４３８が操作領域ｅ４に表示される。
【０１５２】
往復調整ボタンｂ５は、布帛リストｔ１において選択されているレコードに対応する布帛の布帛情報のパラメータを調整するためのボタンである。オペレータにより往復調整ボタンｂ５が押下されると、往復調整画面４３９が操作領域ｅ４に表示される。
【０１５３】
送り量調整ボタンｂ６は、布帛リストｔ１において選択されているレコードに対応する布帛の布帛情報のパラメータを調整するためのボタンである。オペレータにより送り量調整ボタンｂ６が押下されると、送り量調整画面４４０が操作領域ｅ４に表示される。
【０１５４】
布帛選択ボタンｂ７は、布帛リストｔ１において選択されているレコードに対応する布帛の布帛情報を印刷対象布帛情報として設定するためのボタンである。オペレータは、プリンタ装置５０の搬送ベルト３１１上に設置された布帛に対応する布帛情報を印刷対象布帛情報として、布帛リストｔ１のレコードの中から選択する。
【０１５５】
新規作成ボタンｂ８は、新たに布帛情報を生成し、布帛リストｔ１に新たに生成した布帛情報に対応するレコードを追加するためのボタンである。オペレータにより新規作成ボタンｂ８が押下されると、布帛情報新規作成画面４３５が表示部４３にポップアップ表示される。
【０１５６】
複製ボタンｂ９は、布帛リストｔ１において選択されているレコードを複製して、あらたにレコードを布帛リストｔ１に追加すると共に、布帛リストｔ１において選択されているレコードに対応する布帛の布帛情報に含まれる項目の値を全てコピーした布帛情報を新たに生成するためのボタンである。オペレータにより複製ボタンｂ９が押下されると、布帛情報複製画面４３６が表示部４３にポップアップ表示される。
【０１５７】
削除ボタンｂ１０は、布帛リストｔ１において選択されているレコードと、当該レコードに対応する布帛の布帛情報とを削除するボタンである。オペレータにより削除ボタンｂ１０が押下されると、削除確認の画面（図示せず）がポップアップ表示される。ユーザにより、削除確認のための画面上のＯＫボタンが押下されると、布帛リストｔ１において選択されているレコードと、当該レコードに対応する布帛の布帛情報とが削除される。
【０１５８】
[布帛情報新規作成画面]
図１８に、布帛情報新規作成画面４３５の画面例を示す。布帛情報新規作成画面４３５は、ユーザインターフェース機能部４１７により表示部４３に表示される。布帛情報新規作成画面４３５は、新たに布帛情報を生成し、布帛リストｔ１に新たに生成した布帛情報に対応するレコードを追加するための画面である。布帛情報新規作成画面４３５は、布帛リスト画面４３４の新規作成ボタンｂ８が押下されることによりポップアップ表示される。布帛情報新規作成画面４３５は、布帛名入力領域ｅ１１、メモ入力領域ｅ１２、ＯＫボタンｂ１１、キャンセルボタンｂ１２から構成される。
【０１５９】
布帛名入力領域ｅ１１は、新規作成する布帛情報の布帛名称情報を入力するための領域である。布帛名入力領域ｅ１１で入力された情報は、布帛リスト画面４３４の布帛リストｔ１のフィールド「布帛名」の値として反映される。
【０１６０】
メモ入力領域ｅ１２は、新規作成する布帛情報に関するコメントを入力するための領域である。メモ入力領域ｅ１２で入力された情報は、布帛リスト画面４３４の布帛リストｔ１のフィールド「メモ」の値として反映される。
【０１６１】
ＯＫボタンｂ１１は、新たに布帛情報を生成し、布帛リストｔ１に新たに生成した布帛情報に対応するレコードを追加するためのボタンである。オペレータによりＯＫボタンｂ１１が押下されると、新たに布帛情報が生成され、布帛リストｔ１に新たに生成した布帛情報に対応するレコードが追加される。
【０１６２】
キャンセルボタンｂ１２は、布帛情報の生成をキャンセルするためのボタンである。オペレータによりキャンセルボタンｂ１２が押下されると、布帛情報は生成されず、布帛リスト画面４３４に戻る。
【０１６３】
[布帛情報複製画面]
図１９に、布帛情報複製画面４３６の画面例を示す。布帛情報複製画面４３６は、ユーザインターフェース機能部４１７により表示部４３に表示される。布帛情報複製画面４３６は、布帛リストｔ１において選択されているレコードを複製して、あらたにレコードを布帛リストｔ１に追加すると共に、布帛リストｔ１において選択されているレコードに対応する布帛の布帛情報に含まれる項目の値を全てコピーした布帛情報を新たに生成するための画面である。布帛情報複製画面４３６は、布帛リスト画面４３４の複製ボタンｂ９が押下されることによりポップアップ表示される。布帛情報複製画面４３６は、複製元情報表示領域ｅ１３、布帛名入力領域ｅ１４、メモ入力領域ｅ１５、ＯＫボタンｂ１３、キャンセルボタンｂ１４から構成される。
【０１６４】
複製元情報表示領域ｅ１３には、複製元である、布帛リストｔ１において選択されているレコードに対応する布帛の布帛情報の布帛名称情報と、当該布帛情報に関するコメントを表示する領域である。
【０１６５】
布帛名入力領域ｅ１４は、新たに作成する布帛情報の布帛名称情報を入力するための領域である。布帛名入力領域ｅ１４で入力された情報は、布帛リスト画面４３４の布帛リストｔ１のフィールド「布帛名」の値として反映される。
【０１６６】
メモ入力領域ｅ１５は、新たに作成する布帛情報に関するコメントを入力するための領域である。メモ入力領域ｅ１５で入力された情報は、布帛リスト画面４３４の布帛リストｔ１のフィールド「メモ」の値として反映される。
【０１６７】
ＯＫボタンｂ１３は、布帛リストｔ１において選択されているレコードを複製して、新たにレコードを布帛リストｔ１に追加すると共に、布帛リストｔ１において選択されているレコードに対応する布帛の布帛情報に含まれる項目の値を全てコピーした布帛情報を新たに生成するためのボタンである。オペレータによりＯＫボタンｂ１３が押下されると、布帛リストｔ１において選択されているレコードが複製され、新たにレコードが布帛リストｔ１に追加されると共に、布帛リストｔ１において選択されているレコードに対応する布帛の布帛情報に含まれる項目の値が全てコピーされた布帛情報が新たに生成される。
【０１６８】
キャンセルボタンｂ１４は、布帛情報の複製をキャンセルするためのボタンである。オペレータによりキャンセルボタンｂ１４が押下されると、布帛情報は複製されず、布帛リスト画面４３４に戻る。
【０１６９】
[布帛情報編集画面]
図２０に、布帛情報編集画面４３７の画面例を示す。布帛情報編集画面４３７は、ユーザインターフェース機能部４１７により表示部４３に表示される。布帛情報編集画面４３７は、布帛リストｔ１において選択されているレコードに対応する布帛の布帛情報を編集するための画面である。布帛情報編集画面４３７は、基本情報編集領域ｅ２１、端部処理方法編集領域ｅ２２、ＯＫボタンｂ２１、キャンセルボタンｂ２２から構成される。
【０１７０】
基本情報編集領域ｅ２１は、編集対象の布帛情報の布帛名称情報、布―ヘッド間距離、布帛情報に関するコメント等を編集するための領域である。
【０１７１】
端部処理方法編集領域ｅ２２は、プリンタ装置５０における、編集対象の布帛情報に対応する布の端部の処理に関する制御パラメータを編集するための領域である。これらの端部処理方法編集領域ｅ２２において編集されるパラメータは布帛情報に含まれる。
【０１７２】
ＯＫボタンｂ２１は、布帛リストｔ１において選択されているレコードに対応する布帛の布帛情報の編集を、当該布帛情報に反映するためのボタンである。オペレータによりＯＫボタンｂ２１が押下されると、布帛リストｔ１において選択されているレコードに対応する布帛情報の編集が、当該布帛情報に反映される。
【０１７３】
キャンセルボタンｂ２２は、布帛リストｔ１において選択されたレコードに対応する布帛の布帛情報の編集をキャンセルするためのボタンである。オペレータによりキャンセルボタンｂ２２が押下されると、布帛情報は編集されず、布帛リスト画面４３４に戻る。
【０１７４】
[主走査ギャップ調整画面]
図２１に、主走査ギャップ調整画面４３８の画面例を示す。主走査ギャップ調整画面４３８は、ユーザインターフェース機能部４１７により基本画面４３１の操作選択領域ｅ３に表示される。主走査ギャップ調整画面４３８は、キャリッジ３２２に搭載された複数のヘッド間の位置調整（主走査ギャップの調整）を行うための画面である。主走査ギャップ調整画面４３８上で設定されるパラメータは、画像形成装置毎に異なる値を持つ。
【０１７５】
主走査ギャップ調整画面４３８は、布帛リスト画面４３４の主走査ギャップ調整ボタンｂ４が押下されることにより表示される。主走査ギャップ調整画面４３８は、モード選択領域ｅ３１、補正値入力領域ｅ３２、テスト印刷ボタンｂ３１、レジ調整印刷ボタンｂ３２、ＯＫボタンｂ３３、キャンセルボタンｂ３４等から構成される。
【０１７６】
モード選択領域ｅ３１は、主走査ギャップの調整を行う印刷モードを選択するための領域である。
【０１７７】
補正値入力領域ｅ３２は、モード選択領域ｅ３１において選択された印刷モードの主走査ギャップの補正値を入力するための領域である。キャリッジ３２２には、たとえば２４個の記録ヘッドが搭載されており、補正値入力領域ｅ３２中の２４個の補正値入力欄は、これらの記録ヘッドに対応する入力欄になっている。
【０１７８】
テスト印刷ボタンｂ３１が押下されることにより、補正値入力欄で入力した補正値で、プリンタ装置５０はテスト印刷を行う。オペレータは、その結果を見て更に主走査ギャップの補正値を入力し直すことが可能である。
【０１７９】
レジ調整印刷ボタンｂ３２が押下されることにより、補正値入力欄で入力した補正値で、プリンタ装置５０はテスト印刷を行う。プリンタ装置５０は、図示しない画像読込手段で、印字された画像を読み込み、着弾位置情報を取得する。プリンタ装置５０は、着弾位置情報に基づいて、ユーザの入力操作無しで主走査ギャップの補正値を入力し直す。
【０１８０】
タオル生地やシルク生地など、布帛の表面状態は様々である。そのため、プリンタ装置５０は、画像読込手段を用いて着弾位置情報を取得することが困難な場合がある。オペレータは、布帛の表面状態に応じて、テスト印刷ボタンｂ３１、レジ調整印刷ボタンｂ３２を使い分ける。
【０１８１】
ＯＫボタンｂ３３は、補正値入力領域ｅ３２中の補正値入力欄に表示されている値を布帛情報の「主走査ギャップ情報」に反映するためにボタンである。オペレータによりＯＫボタンｂ３３が押下されると、補正値入力欄に表示されている値が、布帛リストｔ１において選択されているレコードに対応する布帛情報の「主走査ギャップ情報」のパラメータに反映される。
【０１８２】
キャンセルボタンｂ３４は、布帛リストｔ１において選択されているレコードに対応する布帛の布帛情報の「主走査ギャップ情報」の補正をキャンセルするためのボタンである。オペレータによりキャンセルボタンｂ３４が押下されると、「主走査ギャップ情報」は補正されず、布帛リスト画面４３４に戻る。
【０１８３】
[往復調整画面]
図２２に、往復調整画面４３９の画面例を示す。往復調整画面４３９は、ユーザインターフェース機能部４１７により基本画面４３１の操作選択領域ｅ３に表示される。往復調整画面４３９は、往復調整を行うための画面である。往復調整画面４３９上で設定されるパラメータは、画像形成装置毎に異なる値を持つ。
【０１８４】
往復調整画面４３９は、布帛リスト画面４３４の往復調整ボタンｂ５が押下されることにより表示される。往復調整画面４３９は、モード選択領域ｅ４１、補正値入力領域ｅ４２、テスト印刷ボタンｂ４１、レジ調整印刷ボタンｂ４２、ＯＫボタンｂ４３、キャンセルボタンｂ４４等から構成される。
【０１８５】
モード選択領域ｅ４１は、往復調整を行う印刷モードを選択するための領域である。
【０１８６】
補正値入力領域ｅ４２は、モード選択領域ｅ４１において選択された印刷モードの往復調整の補正値を入力するための領域である。前述のように、キャリッジ３２２には、たとえば２４個の記録ヘッドが搭載されており、補正値入力領域ｅ４２中の２４個の補正値入力欄は、これらの記録ヘッドに対応する入力欄になっている。
【０１８７】
テスト印刷ボタンｂ４１が押下されることにより、補正値入力欄で入力した補正値で、プリンタ装置５０はテスト印刷を行う。オペレータは、その結果を見て更に往復調整の補正値を入力し直すことが可能である。
【０１８８】
レジ調整印刷ボタンｂ４２が、押下されることにより、補正値入力欄で入力した補正値で、プリンタ装置５０はテスト印刷を行う。プリンタ装置５０は、図示しない画像読込手段で、印字された画像を読み込み、着弾位置情報を取得する。プリンタ装置５０は、着弾位置情報に基づいて、ユーザの入力操作無しで往復調整の補正値を入力し直す。
【０１８９】
前述の通り、タオル生地やシルク生地など、布帛の表面状態は様々である。そのため、プリンタ装置５０は、画像読込手段を用いて着弾位置情報を取得することが困難な場合がある。オペレータは、布帛の表面状態に応じて、テスト印刷ボタンｂ４１、レジ調整印刷ボタンｂ４２を使い分ける。
【０１９０】
ＯＫボタンｂ４３は、補正値入力領域ｅ４２中の補正値入力欄に表示されている値を布帛情報の「往復調整情報」に反映するためにボタンである。オペレータによりＯＫボタンｂ４３が押下されると、補正値入力欄に表示されている値が、布帛リストｔ１において選択されているレコードに対応する布帛情報の「往復調整情報」のパラメータに反映される。
【０１９１】
キャンセルボタンｂ４４は、布帛リストｔ１において選択されているレコードに対応する布帛の布帛情報の「往復調整情報」の補正をキャンセルするためのボタンである。オペレータによりキャンセルボタンｂ４４が押下されると、「往復調整情報」は補正されず、布帛リスト画面４３４に戻る。
【０１９２】
[送り量調整画面]
図２３に、送り量調整画面４４０の画面例を示す。送り量調整画面４４０は、ユーザインターフェース機能部４１７により基本画面４３１の操作選択領域ｅ３に表示される。送り量調整画面４４０は、送り量調整を行うための画面である。送り量調整画面４４０上で設定されるパラメータは、画像形成装置毎に異なる値を持つ。
【０１９３】
送り量調整画面４４０は、布帛リスト画面４３４の送り量調整ボタンｂ６が押下されることにより表示される。送り量調整画面４４０は、モード選択領域ｅ５１、調整値入力領域ｅ５２、テスト印刷ボタンｂ５１、ＯＫボタンｂ５２、キャンセルボタンｂ５３等から構成される。
【０１９４】
モード選択領域ｅ５１は、往復調整を行う印刷モードを選択するための領域である。
【０１９５】
調整値入力領域ｅ５２は、モード選択領域ｅ５１において選択された印刷モードの送り量の調整値を入力するための領域である。
【０１９６】
テスト印刷ボタンｂ５１が押下されることにより、調整値入力領域ｅ５２で入力した調整値で、プリンタ装置５０はテスト印刷を行う。オペレータは、その結果を見て更に送り量の調整値を入力し直すことが可能である。
【０１９７】
ＯＫボタンｂ５２は、調整値入力領域ｅ５２に表示されている値を布帛情報の「送り量調整情報」に反映するためにボタンである。オペレータによりＯＫボタンｂ５２が押下されると、調整値入力領域ｅ５２に表示されている値が、布帛リストｔ１において選択されているレコードに対応する布帛情報の「送り量調整情報」のパラメータに反映される。
【０１９８】
キャンセルボタンｂ５３は、布帛リストｔ１において選択されているレコードに対応する布帛の布帛情報の「送り量調整情報」の調整をキャンセルするためのボタンである。オペレータによりキャンセルボタンｂ５３が押下されると、「送り量調整情報」は調整されず、布帛リスト画面４３４に戻る。
【０１９９】
以上、本実施の形態によれば、サーバ装置４０の制御部４１の布帛管理機能部４１４は、プリンタ装置５０に現在装着されている布帛に関する装着布帛情報を出力する。制御部４１は、印刷ジョブ情報に基づく印刷ジョブの実行前に、前記印刷ジョブ情報で指定された指定布帛情報と前記装着布帛情報とを比較する。制御部４１は、比較の結果、前記指定布帛情報と前記装着布帛情報とが一致する場合に、プリンタ装置５０に前記印刷ジョブを実行させる。
【０２００】
そのため、画像形成装置３０は、印刷ジョブで指定された布帛以外の布帛への印刷を確実に防止することができる。よって、布帛が無駄になることがない。
【０２０１】
また、布帛情報（装着布帛情報）は、プリンタ装置５０の印刷制御に関するパラメータを含む。そのため、プリンタ装置５０の誤った印刷制御を防ぐことができ、プリンタヘッドの損傷等を防ぐことができる。
【０２０２】
尚、本実施の形態における記述は、本発明に係る画像形成システムの一例であり、これに限定されるものではない。システムを構成する各装置の細部構成及び細部動作に関しても適宜変更可能である。
【０２０３】
また、本実施の形態では、プログラムを格納したコンピュータ読み取り可能な媒体としてハードディスクを使用した例を開示したが、この例に限定されない。その他のコンピュータ読み取り可能な媒体として、フラッシュメモリ等の不揮発性メモリ等を適用することが可能である。また、ＣＤ−Ｒ等の可搬型記憶媒体を適用することが可能である。また、プログラムのデータを通信回線を介して提供する媒体として、キャリアウェーブ（搬送波）も適用可能である。
【０２０４】
[変形例]
次に、本発明の実施の形態の変形例について説明する。ここでは、上述した実施の形態と異なる点を中心に説明する。上述した実施の形態と異なる主な点は、印刷条件情報の指定布帛情報が布帛情報となっている点、及び布帛情報整合性判定処理の内容である。
【０２０５】
[印刷条件情報]
図２４に、印刷条件のデータ構成を示す。図２４に示すように、印刷条件情報は、印刷解像度、印刷長、印刷幅、布帛情報等から構成される。
【０２０６】
[印刷ジョブ送信時における、画像形成システムにおける各装置の具体的な動作]
次に、図２５を用いて、印刷ジョブ送信時における、画像形成システム１００における各装置の具体的な動作を説明する。
【０２０７】
図２５に示すように、デザイナーは、クライアント端末１０の操作部１２に、布帛に印刷する画像を指定する旨のユーザ操作を行う。そして、クライアント端末１０は、操作部１２からの操作信号に基づいて、画像データを指定する（ステップＳ４０１）。
【０２０８】
次に、クライアント端末１０は、通信ネットワークＮに接続されている画像形成装置３０を検索する（ステップＳ４０２）。そして、通信ネットワークＮに接続されているサーバ装置４０は、自装置の概要を示す概要情報をクライアント端末１０に返信する（ステップＳ４０３）。クライアント端末１０は、この概要情報を表示部１３に表示する。
【０２０９】
オペレータは、概要情報を参照して、布帛に印刷させる画像形成装置を選択する。そして、オペレータは、操作部１２に、画像形成装置３０において管理されている布帛の布帛情報の取得要求を送信する旨のユーザ操作を行う。クライアント端末１０は、操作部１２からの操作信号に基づいて、布帛情報の取得要求をサーバ装置４０に送信する（ステップＳ４０４）。
【０２１０】
サーバ装置４０の布帛管理機能部４１４は、ネットワーク管理機能部４１２から布帛情報の取得要求を受け付けると、管理している各布帛情報ファイルを読み出す。そして、布帛管理機能部４１４は、読み出した布帛情報をネットワーク管理機能部４１２を介してクライアント端末１０に送信する（ステップＳ４０５）。
【０２１１】
クライアント端末１０の制御部１１は、送信された布帛情報に基づいて、画像形成装置３０において管理されている布帛の名称の一覧や印刷制御パラメータを表示部１３に表示する。オペレータは、布帛の名称の一覧や印刷制御パラメータを参照して、画像データを印刷させる布帛を選択する旨のユーザ操作を操作部１２に行う。また、オペレータは、記憶部１５に記憶されている、画像データに色変換を行うためのＬＵＴ（Look Up Table）を選択、又は生成する旨のユーザ操作を操作部１２に行う。また、オペレータは、印刷解像度、印刷長、印刷幅等を指定する旨のユーザ操作を操作部１２に行う。
【０２１２】
制御部１１は、操作部１２からの操作信号に基づいて、画像データを印刷させる布帛の布帛情報を選択する。そして、制御部１１は、操作部１２からの操作信号に基づいて、ＬＵＴを選択又は生成する。そして、制御部１１は、選択した画像の画像データに対して、ＬＵＴに基づいて色変換等を行う。また、制御部１１は、操作部１２からの操作信号に基づいて、印刷解像度、印刷長、印刷幅等を指定する。制御部１１は、選択した画像の画像データと、選択した布帛情報と、指定した印刷解像度、印刷長、印刷幅等に基づいて、印刷ジョブ情報を生成する（ステップＳ４０６）。
【０２１３】
そして、制御部１１は、生成した印刷ジョブ情報を通信部１４を介してサーバ装置４０に送信する（ステップＳ４０７）。
【０２１４】
サーバ装置４０のジョブ管理機能部４１３は、ネットワーク管理機能部４１２から印刷ジョブ情報を受け付けると、この印刷ジョブ情報を印刷ジョブ情報ファイルとして記憶部４５に記憶させ、ジョブリストに追加して管理する（ステップＳ４０８）。以上で処理が終了する。
【０２１５】
[布帛情報整合性判定処理]
次に、図２６を用いて、印刷ジョブ実行時におけるサーバ装置４０が行う布帛情報整合性判定処理の具体的な動作を説明する。
【０２１６】
図１３に示すように、ジョブ管理機能部４１３は、布帛管理機能部４１４から装着布帛情報を取得する（ステップＳ５０１）。
【０２１７】
次に、ジョブ管理機能部４１３は、実行印刷ジョブ情報に含まれる布帛情報を読み出す（ステップＳ５０２）。
【０２１８】
そして、ジョブ管理機能部４１３は、装着布帛情報と実行印刷ジョブ情報に含まれる布帛情報とが一致するか否かを判定する（ステップＳ５０３）。具体的に、ジョブ管理機能部４１３は、装着布帛情報に含まれる布帛名称情報と、実行印刷ジョブ情報に含まれる布帛情報に含まれる布帛名称情報とが一致するか否かを判定する。
【０２１９】
尚、ジョブ管理機能部４１３は、装着布帛情報に含まれる各情報（布帛名情報、ヘッド―布間距離情報、主走査ギャップ情報、往復調整情報、送り量調整情報、印刷完了時処理情報等）と、実行印刷ジョブ情報に含まれる布帛情報に含まれる各情報（布帛名情報、ヘッド―布間距離情報、主走査ギャップ情報、往復調整情報、送り量調整情報、印刷完了時処理情報等）とが全て一致する場合に、装着布帛情報と実行印刷ジョブ情報に含まれる布帛情報とが一致する（ステップＳ５０３；ＹＥＳ）としてもよい。また、装着布帛情報と、実行印刷ジョブ情報に含まれる布帛情報とに含まれる各情報の一部が一致する場合に、装着布帛情報と実行印刷ジョブ情報に含まれる布帛情報とが一致する（ステップＳ５０３；ＹＥＳ）としてもよい。主走査ギャップ情報、往復調整情報、送り量調整情報は液滴の着弾位置に関する情報であるので、特に重要である。
【０２２０】
以上、本変形例によれば、サーバ装置４０の制御部４１は、布帛情報整合性判定処理において、布帛名情報、ヘッド―布間距離情報、主走査ギャップ情報、往復調整情報、送り量調整情報、印刷完了時処理情報等を含むデータ同士を比較する。そのため、布帛名情報だけではなく、複数項目について比較することができる。よって、より確実に、印刷ジョブで指定された布帛以外の布帛への印刷を防止することができる。
【０２２１】
また、クライアント端末１０が、布帛名情報、ヘッド―布間距離情報、主走査ギャップ情報、往復調整情報、送り量調整情報、印刷完了時処理情報等の情報を保持している。そのため、サーバ装置４０にある布帛情報が削除されてしまった場合でも、クライアント端末１０にある布帛情報を参照することにより、過去に実行した印刷と同条件で、布帛に印刷を行うことができる。
【図面の簡単な説明】
【０２２２】
【図１】本発明における画像形成システムのシステム構成図である。
【図２】印刷ジョブ情報のデータ構成図である。
【図３】印刷条件情報のデータ構成図である。
【図４】クライアント端末のブロック図である。
【図５】画像形成装置の斜視図である。
【図６】搬送ベルト周辺の詳細図である。
【図７】画像形成装置のブロック図である。
【図８】布帛情報のデータ構成図である。
【図９】サーバ装置の制御部のソフトウエア機能構成図である。
【図１０】布帛装着時における、サーバ装置の動作を示すフローチャートである。
【図１１】印刷ジョブ送信時の、画像形成システムにおける各装置の動作を示すラダーチャートである。
【図１２】印刷ジョブ実行時における、サーバ装置の具体的を示すフローチャートである。
【図１３】布帛情報整合性判定処理を示すフローチャートである。
【図１４】基本画面の画面例である。
【図１５】ジョブ一覧画面の画面例である。
【図１６】ジョブ履歴画面の画面例である。
【図１７】布帛リスト画面である。
【図１８】布帛情報新規作成画面の画面例である。
【図１９】布帛情報複製画面の画面例である。
【図２０】布帛情報編集画面の画面例である。
【図２１】主走査ギャップ調整画面の画面例である。
【図２２】往復調整画面の画面例である。
【図２３】送り量調整画面の画面例である。
【図２４】変形例における印刷条件情報のデータ構成図である。
【図２５】変形例における、印刷ジョブ送信時の、画像形成システムにおける各装置の動作を示すラダーチャートである。
【図２６】変形例における、布帛情報整合性判定処理を示すフローチャートである。
【符号の説明】
【０２２３】
１０      クライアント端末
１１      制御部
１２      操作部
１３      表示部
１４      通信部
１５      記憶部
１６      バス
２０      クライアント端末
３０      画像形成装置
３１      輸送ユニット
３２      スキャンユニット
３３      インクラック
４０      サーバ装置
４１      制御部
４２      操作部
４３      表示部
４４      通信部
４５      記憶部
４６      ＵＳＢデバイス
４７      ＰＣＩデバイス
４８      バス
５０      プリンタ装置
１００    画像形成システム
１５１    ＲＩＰプログラム
３１１    搬送ベルト
３２１    キャリッジレール
３２２    キャリッジ
３３１    インクタンク
４１１    全体制御機能部
４１２    ネットワーク管理機能部
４１３    ジョブ管理機能部
４１５    画像転送制御機能部
４１６    機械制御機能部
４１７    ユーザインターフェース機能部
４３１    基本画面
４３２    ジョブ一覧画面
４３３    ジョブ履歴画面
４３４    布帛リスト画面
４３５    布帛情報新規作成画面
４３６    布帛情報複製画面
４３７    布帛情報編集画面
４３８    主走査ギャップ調整画面
４３９    往復調整画面
４４０    送り量調整画面
４５１    ネットワーク管理プログラム
４５２    ジョブ管理プログラム
４５３    布帛管理プログラム
４５４    画像転送制御プログラム
４５５    機械制御プログラム
４５６    ユーザインターフェースプログラム
Ｎ        通信ネットワーク
【図１】
2010058426.tif 000003
【図２】
2010058426.tif 000004
【図３】
2010058426.tif 000005
【図４】
2010058426.tif 000006
【図５】
2010058426.tif 000007
【図６】
2010058426.tif 000008
【図７】
2010058426.tif 000009
【図８】
2010058426.tif 000010
【図９】
2010058426.tif 000011
【図１０】
2010058426.tif 000012
【図１１】
2010058426.tif 000013
【図１２】
2010058426.tif 000014
【図１３】
2010058426.tif 000015
【図１４】
2010058426.tif 000016
【図１５】
2010058426.tif 000017
【図１６】
2010058426.tif 000018
【図１７】
2010058426.tif 000019
【図１８】
2010058426.tif 000020
【図１９】
2010058426.tif 000021
【図２０】
2010058426.tif 000022
【図２１】
2010058426.tif 000023
【図２２】
2010058426.tif 000024
【図２３】
2010058426.tif 000025
【図２４】
2010058426.tif 000026
【図２５】
2010058426.tif 000027
【図２６】
2010058426.tif 000028